(57)【要約】【課題】映像データを主体として見るユーザにとっても、文字データを主体として見るユーザにとっても、より見やすいテレビ画像を可能にする。【解決手段】携帯電話は、テレビ受像部によって映像データとテキストデータとが多重化された地上波ディジタル放送を受信すると、その映像データおよびテキストデータの画像を表示部２１に表示する際には、表示部２１を収容している収容部２０が図１（Ａ）の変位状態に設定された場合には、映像データの画像を表示部２１の上半分の表示エリア２２に表示し、テキストデータの画像を下半分の表示エリアに表示する画像処理を行い、収容部２０が図１（Ｂ）の変位状態に設定された場合には、映像データの画像を表示部２１の全部の表示エリアに表示し、テキストデータの画像をその映像データの画像に重畳して表示する画像処理を行う。【選択図】図１
2011035914.tif 000002
【特許請求の範囲】
【請求項１】
映像データとテキストデータとが多重化されたテレビ放送を受信して表示画面上に表示する携帯型のテレビ放送受信装置であって、
前記表示画面が縦長表示形態であるか、あるいは横長表示形態であるかを判別する表示形態判別手段と、
前記テレビ放送の受信が選択された後にあっては、送信されてくる前記テレビ放送を逐次受信し、その受信したテレビ放送から映像データとテキストデータとを逐次分離する分離手段と、
前記分離手段で逐次分離された各テキストデータを、当該分離手段で逐次分離された映像と共に前記表示画面上に表示する際は、そのテキストが表示される時点での当該表示画面の表示形態を前記表示形態判別手段で逐次判別し、その判別結果に基づいて、当該表示画面内で前記映像データが表示される映像表示エリア内に重畳して表示するのか、あるいは当該表示画面内の前記映像表示エリアとは分離した位置に表示するのかを制御する表示制御手段と、
を具備したことを特徴とするテレビ放送受信装置。
【請求項２】
他の電話装置との間で電話通話が可能な電話通話手段と、
当該電話通話手段による電話通話の通話終了時に、当該通話に先だって前記テレビ放送を受信中だったか否かを判別するテレビ受信判別手段と、
を更に備え、
前記テレビ受信判別手段において、テレビ放送の受信中であった場合には、前記表示制御手段によるテレビ放送の表示制御に復帰し、逐次受信するテレビ放送の映像データとテキストデータとを、その時点での表示画面の表示形態に基づいて重畳表示するか否かを制御する、
ようにしたことを特徴とする請求項１記載のテレビ放送受信装置。
【請求項３】
前記表示制御手段は、前記分離手段で逐次分離される映像データを前記表示画面上に表示する際は、その映像データが表示される時点での当該表示画面の表示形態を前記表示形態判別手段で逐次判別し、その判別結果に基づいて、前記映像データを前記表示画面内で全画面横長表示とするか否かを制御する、
ようにしたことを特徴とする請求項１あるいは２記載のテレビ放送受信装置。
【請求項４】
映像データとテキストデータとが多重化されたテレビ放送を受信して表示画面上に表示する携帯型のテレビ放送受信装置のコンピュータを制御するためのプログラムであって、
前記コンピュータを、
前記表示画面が縦長表示形態であるか、あるいは横長表示形態であるかを判別する表示形態判別手段、
前記テレビ放送の受信が選択された後にあっては、送信されてくる前記テレビ放送を逐次受信し、その受信したテレビ放送から映像データとテキストデータとを逐次分離する分離手段、
前記分離手段で逐次分離された各テキストデータを、当該分離手段で逐次分離された映像と共に前記表示画面上に表示する際は、そのテキストが表示される時点での当該表示画面の表示形態を前記表示形態判別手段で逐次判別し、その判別結果に基づいて、当該表示画面内で前記映像データが表示される映像表示エリア内に重畳して表示するのか、あるいは当該表示画面内の前記映像表示エリアとは分離した位置に表示するのかを制御する表示制御手段、
として機能させるようにしたコンピュータ読み取り可能なプログラム。
【発明の詳細な説明】
【技術分野】
【０００１】
本発明は、映像データとテキストデータとが多重化されたテレビ放送を受信して表示画面上に表示する携帯型のテレビ放送受信装置に関する。
【背景技術】
【０００２】
近年、携帯電話などの通信端末装置において、電話やメールの送受信の機能のほかに、レンズを含む光学素子、ＣＣＤなどの撮像素子、画像メモリを内蔵したデジタルカメラの機能を新たに付加した製品が普及している。さらに、フレキシブル・プリント基板その他の配線技術の向上によって、電子部品やキースイッチなどを内蔵する本体と、表示部であるＬＣＤ（液晶ディスプレイ）を収容する収容部（蓋部）とがヒンジ部で結合され、本体とＬＣＤ収容部とを開閉する折り畳み型携帯電話が広く普及している。
ある提案の折り畳み型携帯電話においては、明細書および図２（ａ）〜（ｄ）に記載されているように、操作部を有する下側ユニット２０と、表示部１１を有する上側ユニット３０と、下側ユニットと上側ユニットとを開閉自在に結合するヒンジ部１３とを有する折り畳み型携帯電話機において、上側ユニットは、表示部ユニット３４と、支持部ユニット３４と、回転／スライド機構４０とを有する。表示部ユニットは表示部を配設する表示面３２ａを持つ。表示部ユニットに配置された一対の正面カメラ部１７ａ、１７ｂは、表示部が縦長状態にある場合には表示部の上下に位置し、表示部ユニットを回転／スライドすることによって表示部が横長状態となった場合には表示部の左右に位置する。
この構成により、表示装置を縦長、あるいは横長に自在に変化させて使用できるという効果、３Ｄ（３次元）画像処理を容易に行うことができるという効果、および、表示部ユニットの一対のカメラを、テレビ電話使用時には、電話相手先に応じて任意に選択して、左右の表情の違いを使い分けることができるという効果を奏すると記載されている。（特許文献１）
【先行技術文献】
【特許文献】
【０００３】
【特許文献１】特開２００３−３１９０４３号公報
【発明の概要】
【発明が解決しようとする課題】
【０００４】
しかしながら、上記特許文献１においては、表示部ユニットの変位状態に応じて、一対のカメラで撮像された画像を構成する各画素に対して、表示面のどのコーナーから開始するかを設定するだけであり、表示画像の縦横のサイズが指定された画像に対して画像処理を行う構成にはなっていない。例えば、図２（ａ）に表示された画像と、図２（ｂ）および（ｃ）に表示された画像とは、同じ風景を撮像した画像にもかかわらず、表示画像の縦横のサイズは全く異なっている。
このため、２００３年１２月より一部の地域で放送が開始された地上波ディジタル放送を受信できるような携帯電話を製品化する場合には、表示部を縦長で使用する場合と横長で使用する場合とで、表示画像の縦横のサイズが異なるような表示は許されない。
本発明は、映像情報を主体として見るユーザにとっても、文字情報を主体として見るユーザにとっても、より見やすいテレビ表示を可能にすることを目的とする。
【課題を解決するための手段】
【０００５】
請求項１記載のテレビ放送受信装置は、映像データとテキストデータとが多重化されたテレビ放送を受信して表示画面上に表示する携帯型のテレビ放送受信装置であって、前記表示画面が縦長表示形態であるか、あるいは横長表示形態であるかを判別する表示形態判別手段と、前記テレビ放送の受信が選択された後にあっては、送信されてくる前記テレビ放送を逐次受信し、その受信したテレビ放送から映像データとテキストデータとを逐次分離する分離手段と、前記分離手段で逐次分離された各テキストデータを、当該分離手段で逐次分離された映像と共に前記表示画面上に表示する際は、そのテキストが表示される時点での当該表示画面の表示形態を前記表示形態判別手段で逐次判別し、その判別結果に基づいて、当該表示画面内で前記映像データが表示される映像表示エリア内に重畳して表示するのか、あるいは当該表示画面内の前記映像表示エリアとは分離した位置に表示するのかを制御する表示制御手段と、を具備したことを特徴とする。
【発明の効果】
【０００６】
本発明によれば、映像データとテキストデータとが多重化されたテレビ放送を受信して表示画面上に表示する際、映像データを主体として見るユーザにとっても、文字データを主体として見るユーザにとっても、より見やすいテレビ表示が可能となる。
【図面の簡単な説明】
【０００７】
【図１】本発明の実施形態における携帯電話の変位状態と表示画面との関係を示す外観図。
【図２】図１の携帯電話の表示部を収容する収容部を本体から開く様子を示す図。
【図３】図１の携帯電話の収容部を開いた後に回動して表示部を露出して閉じる様子を示す図。
【図４】本発明の通信端末装置の実施例における携帯電話の構成を示すブロック図。
【図５】実施形態における携帯電話の動作を示すＣＰＵのメインルーチンのフローチャート。
【図６】図５に続くＣＰＵのメインルーチンのフローチャート。
【図７】図６に続くＣＰＵのメインルーチンのフローチャート。
【図８】ＣＰＵの着信検知のフローチャート。
【発明を実施するための形態】
【０００８】
本発明にかかる実施形態を、図面を参照して以下に説明する。
以下、本発明による通信端末装置の実施形態について、携帯電話を例に採って図１ないし図８を参照して説明する。
図１は、実施形態における携帯電話に地上波ディジタル放送の放送映像と文字情報が表示された状態を示す図である。この携帯電話は、表示部であるＬＣＤ（液晶ディスプレイ）を収容する収容部（蓋部）２０が、互いに直交する２軸構造のヒンジ部３０によって、ＣＰＵその他のＩＣなどの電子部品やキースイッチを収容する本体４０と結合されている。２軸構造のヒンジ部３０は、例えば、玩具やその他の分野で広く利用されている構造であり、携帯電話においても次第に利用されてきているが、特に新しい技術ではないので、詳細な説明は省略する。収容部２０と本体４０とは、ヒンジ部３０の一方の軸（図１（Ａ）のＸ軸）を中心に開閉できるとともに、他方の軸（図１（Ａ）のＹ軸）を中心に回動できる構造になっている。図１（Ａ）は、収容部２０が開かれて表示部２１が露出した状態である。図１（Ｂ）は、図１（Ａ）の状態から、収容部２０が回動され、表示部２１が露出した状態で、収容部２０が閉じられた状態を示している。
【０００９】
図２および図３に基づいて、図１の携帯電話の収容部２０の変位状態と表示部２１との関係を説明する。図２は、携帯電話の表示部２１を収容する収容部２０を本体４０から開く様子を示す図であり、図３は、収容部２０を開いた後に回動して表示部２１を露出して閉じる様子を示す図である。
収容部２０を閉じた状態では、図２（Ａ）に示すように、表示部２１は本体４０に対面して接した状態になっている。この場合においては、表示部２１は隠れているので、画面を見ることはできない。この状態から図２（Ｂ）に示すように収容部２０を開いてゆくと、図２（Ｃ）のような変位状態となり、図１（Ａ）に示したように、表示部２１が見える状態になる。この状態においては、本体４０の文字入力スイッチの操作によって作成したメールを表示部２１に表示して、送信スイッチの操作で送信したり、受信したメールを表示部２１に表示して、保存スイッチや削除スイッチの操作によって、そのメールの保存や削除をすることができる。さらにこの状態から、図３（Ａ）、図３（Ｂ）に示すように、矢印の方向に収容部２０を回動させて、収容部２０の裏表を逆にした状態で閉じると、図２（Ｃ）に示すような変位状態となり、表示部２１が露出した状態（表裏を逆にした状態）で収容部２０を閉じることができる。すなわち、図１（Ｂ）に示した状態になる。
【００１０】
図４は、図１における携帯電話の構成を示す概略のブロック図である。
図４において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、チューナ５、ＯＦＤＭ（直交周波数分割多重）復調部６、映像復号部７、音声復号部８、スイッチ部９が接続されている。また、ＣＰＵ１のポートには、ＶＲＡＭ（ビデオＲＡＭ）１０、および、図１ないし図３で説明したヒンジ部３０、および、変位センサや電源制御スイッチ（図示せず）からなる機構部１１が接続されている。変位センサは、図２（Ａ）の状態、図２（Ｃ）すなわち図１（Ａ）の状態、図３（Ｃ）すなわち図１（Ｂ）の状態を検出するセンサである。この変位センサとしては、いくつかの構成が広く知られている。例えば、上記特許文献１のように、マグネットと磁気センサとを利用した構成でもよいし、赤外線発光ダイオードとフォトトランジスタとの組み合わせによる近接スイッチを利用した構成でもよいし、機械的なメカスイッチを利用した構成でもよい。
なお、図１において、点線で囲まれているチューナ５、ＯＦＤＭ復調部６、映像復号部７、および音声復号部８は、地上波ディジタル放送の映像・音声信号を取り込むテレビ受像部を構成している。このテレビ受像部の電源は、携帯電話の回路の電源とは独立した構成になっている。
【００１１】
ＣＰＵ１には、表示ドライバ１２を介して表示部２１が接続されている。この携帯電話は、上記したように、ＣＰＵ１などの電子部品やスイッチ部９を収容する本体（図１および図２の本体４０）と、表示部２１などを収容する収容部（図１および図２の収容部２０）とが、機構部１１のヒンジ部３０すなわち折り畳み機構によって開閉可能な構造になっている。さらに、本体や収容部には、マイク１３、スピーカ１４、イヤホン１５が設けられ、ドライバ（図示せず）を介してＣＰＵ１に接続されている。
【００１２】
ＲＯＭ２には、他の携帯電話と通話やメールの送受信を行なう通信制御処理のプログラム、地上波ディジタル放送の受信処理や受信した映像データを表示する表示処理および音声処理などの信号処理のプログラム、イニシャライズにおけるデフォルト値などが格納されている。ＲＡＭ３は、ＣＰＵ１のワークエリアであり、ＣＰＵ１によって処理されるデータを一時的にストアするバッファエリア、各種のレジスタやフラグなどのエリア、送信するメールをストアするエリア、受信したメールをストアするエリアなどが設けられている。ＲＦブロック４は、電話通信網との間で電話やメールを送受信するための構成要素として、無線送受信部、無線信号処理部、音声信号処理部など（いずれも図示せず）を備えている。
【００１３】
チューナ５は、地上波ディジタル放送を受信して高周波増幅などの信号処理を行う。ＯＦＤＭ復調部６は、チューナ５から得られるＯＦＤＭ変調された信号を復調して、地上波ディジタル放送の映像および音声の符号化データを出力する。映像復号部７は、ＯＦＤＭ復調部６から出力された映像の符号化データを復号してディジタル映像データをＣＰＵ１に出力する。ＣＰＵ１は、テレビ受像部から得られるディジタル映像データを処理して、表示ドライバ１２を介して表示部２１に出力してテレビ画像を表示する。また、音声復号部８は、ＯＦＤＭ復調部６から出力された音声の符号化データを復号してディジタル音声信号をＣＰＵ１に出力する。ＣＰＵ１は、そのディジタル音声信号をアナログ信号に変換してスピーカ１４又はイヤホン１５に出力してテレビ音声を発生する。また、ＣＰＵ１はＲＦブロック４が着信を検知したときは、スピーカ１４によって呼出報知を行う。
【００１４】
スイッチ部９は、携帯電話のためのオフフックスイッチ、オンフックスイッチ、発信スイッチ、カーソルスイッチ、実行スイッチ、クリアスイッチ、数字スイッチなどのキースイッチ群で構成されており、その中の１つのスイッチがテレビスイッチと兼用されている。マイク１３は、通話処理においてユーザの音声を電気信号に変換してＣＰＵ１に入力する。ＶＲＡＭ１０は、地上波ディジタル放送の１フレームの映像データおよびテキストデータをストアするエリアａと、実際に表示部２１に表示する１フレームのデータをストアするエリアｂを有するメモリであり、ＣＰＵ１は、エリアａのデータに対して画像処理を行ってエリアｂにストアする。この画像処理については後述する。なお、ＲＡＭ３にＶＲＡＭ１０の機能を持たせる構成も可能である。
【００１５】
次に、この携帯電話における電話およびメールの送受信の動作、並びに、地上波ディジタル放送から受信した映像データの処理について、ＣＰＵ１によって実行される図５ないし図８のフローチャートに基づいて説明する。
図５ないし図７は、ＣＰＵ１のメインルーチンのフローチャートである。携帯電話の蓋部が開かれて電源スイッチがオンされたときは、所定のイニシャライズを行って（ステップＳＡ１）、表示部２１に待受画面の画像を表示する（ステップＳＡ２）。次に、オフフックスイッチが操作されたか否かを判別し（ステップＳＡ３）、このスイッチが操作されたときは、電話番号入力画面を表示部２１に表示する（ステップＳＡ４）。そして、スイッチ部９の操作によって電話番号が入力されたときは番号入力処理を行って（ステップＳＡ５）、電話網に対して発信する（ステップＳＡ６）。また、スピーカ１４によって呼出報知を行う（ステップＳＡ７）。この呼出報知の間に、発信に応答して被呼側との間に回線接続が確立したか否かを判別し（ステップＳＡ８）、回線接続が確立したときは、通話処理に遷移して音声信号の送受信を行う（ステップＳＡ９）。
【００１６】
通話処理においては、オンフックスイッチが操作されたか否かを判別し（ステップＳＡ１０）、このスイッチが操作されたときは、回線切断などの終話処理を行う（ステップＳＡ１１）。終話処理の後は、ステップＳＡ２に移行して再び待受画面の画像を表示部２１に表示する。ステップＳＡ３において、オフフックスイッチが操作されない場合には、図６のフローチャートにおいて、テレビスイッチがオン操作されたか否かを判別し（ステップＳＡ１２）、このスイッチがオンされたときは、テレビ受像部の電源をオンにして（ステップＳＡ１３）、テレビ受像部からの地上波ディジタル放送の放送データを取り出して、ＶＲＡＭ１０のエリアａに映像データおよびテキストデータからなる１フレームの放送データをストアする（ステップＳＡ１４）。そして、放送データからの音声データをスピーカ１４へ出力し（ステップＳＡ１５）、放送データから映像データとテキストデータとを分離する（ステップＳＡ１６）。
【００１７】
次に、現在の表示形態が縦であるか横であるかを、変位センサによって検出して（ステップＳＡ１７）、検出結果を表示形態のフラグに設定する。表示形態が縦である場合には、ＶＲＡＭ１０における画像展開を図１（Ａ）に示すような表示画面になるように画像処理する。すなわち、映像データを表示部２１の一部の表示エリアである上半分の映像エリア２２に出力し（ステップＳＡ１８）、テキストデータを表示部２１の下半分のテキストエリアに出力する（ステップＳＡ１９）。一方、表示形態が横である場合には、ＶＲＡＭ１０における画像展開を図１（Ｂ）に示すような表示画面になるように画像処理する。すなわち、映像データおよびテキストデータを横向きに変換し（ステップＳＡ２０）、映像データ上にテキストデータを重ね合わせる（ステップＳＡ２１）。その重ね合わせたデータを表示部２１に出力する（ステップＳＡ２２）。
【００１８】
ステップＳＡ１９又はステップＳＡ２２においてデータを表示部２１に出力した後は、図７のフローチャートにおいて、操作によって機構変化があったか否かを判別する（ステップＳＡ２３）。すなわち、収容部２０の変位状態が変化したか否かを判別する。機構変化があったときは、縦表示から横表示に変化したのか、又は、横表示から縦表示に変化したのかを判別する（ステップＳＡ２４）。縦表示から横表示に変化したときは、表示部２１の全表示エリアを映像表示エリアに設定し（ステップＳＡ２５）、表示形態のフラグを横に設定する（ステップＳＡ２６）。一方、機構変化が横表示から縦表示であるときは、表示部２１の上半分である一部の表示エリア２２を映像表示エリアに設定し、下半分をテキストエリアに設定する（ステップＳＡ２７）。そして、表示形態のフラグを縦に設定する（ステップＳＡ２８）。
【００１９】
ステップＳＡ２６若しくはステップＳＡ２８において表示形態のフラグを設定した後、又は、ステップＳＡ２３において機構変化がない場合には、テレビスイッチがオフされたか否かを判別し（ステップＳＡ２９）、このスイッチがオフでない場合には、図６のステップＳＡ１４に移行して、図７のステップＳＡ２９に至るループ処理を繰り返す。ステップＳＡ２９において、テレビスイッチがオフされたときは、テレビ受像部の電源をオフにして（ステップＳＡ３０）、図５のステップＳＡ２に移行して、待受画面を表示する。
【００２０】
図８は、着信検知処理のフローチャートである。ＲＦブロック４によって電話の着信を検知したときは、テレビ受像部がオンであるか否かを判別し（ステップＳＢ１）、オンである場合には一時的にオフにする（ステップＳＢ２）。テレビ受像部がオフの場合又は一時オフにした後は、スピーカ１６によって着信の呼出報知を行う（ステップＳＢ３）。そして、オフフックスイッチがオンされたか否かを判別し（ステップＳＢ４）、このスイッチがオンされたときは呼出報知を停止して、発呼側との回線接続を行って通話処理に遷移する（ステップＳＢ５）。通話処理においては、オンフックスイッチがオンされたか否かを判別し（ステップＳＢ６）、このスイッチがオンされたときは、回線切断などの終話処理を行う（ステップＳＢ７）。そして、テレビ受像部が一時オフであるか否かを判別し（ステップＳＢ８）、一時オフである場合には、テレビ受像部をオンに戻す（ステップＳＢ９）。テレビ受像部をオンに戻した後、又は、テレビ受像部が一時オフでなく、着信の前からオフ状態である場合には、メインルーチンに戻る。
【００２１】
以上のように、この実施形態によれば、ＣＰＵ１は、テレビ受像部によって映像データとテキストデータとが多重化された地上波ディジタル放送を受信すると、その映像データおよびテキストデータの画像を表示部２１に表示する際には、表示部２１を収容している収容部２０が図１（Ａ）の変位状態に設定された場合には、映像データの画像を表示部２１の上半分の表示エリア２２に表示し、テキストデータの画像を下半分の表示エリアに表示する画像処理を行い、収容部２０が図１（Ｂ）の変位状態に設定された場合には、映像データの画像を表示部２１の全部の表示エリアに表示し、テキストデータの画像をその映像データの画像に重畳して表示する画像処理を行う。
したがって、受信した放送データの表示画像の縦横のサイズを一定にして、表示部を縦長で使用する場合でも横長で使用する場合でも、地上波ディジタル放送の画像を正常に表示するとともに、地上波ディジタル放送において映像データに多重化されたテキストデータの画像の表示を制御して、映像情報を主体として見るユーザにとっても、文字情報を主体として見るユーザにとっても、より見やすいテレビ画像を可能にする。
【００２２】
この場合において、機構部１１は、操作に応じて収容部２０と本体４０とを開閉および回動可能に結合するヒンジ部３０を有するとともに、収容部２０と本体４０とが開かれて回動されていない図１（Ａ）の変位状態、および、収容部２０と本体４０とが開かれて回動された図１（Ｂ）の変位状態を検出する変位センサ（図示せず）を有する。
したがって、ユーザは、表示部２１の収容部２０を操作するだけで、スイッチなどによる設定操作を必要とすることなく、好みの表示形態でテレビ画像を見ることができる。
さらにこの場合において、ＣＰＵ１は、収容部２０が図１（Ａ）の変位状態に設定されている場合の表示画像の天地方向と、収容部２０が図１（Ｂ）の変位状態に設定されている場合の表示画像の天地方向とが、互いに直交するように表示制御を行う。
したがって、ユーザは、表示画像の天地方向を意識することなく、表示部２１の収容部２０を操作して変位状態を変えることができる。
【００２３】
なお、上記実施形態における携帯電話は、ＲＯＭ２にあらかじめ記憶されている通信制御処理のプログラムをＣＰＵ１が実行する構成にしたが、ＲＦブロック４を介して、外部のサーバから通信制御処理のプログラムを受信して、書き換え可能なフラッシュメモリなどの不揮発性メモリにインストールして、それをＣＰＵ１が実行する構成も可能である。この場合には、プログラムの発明を実現することができる。
【符号の説明】
【００２４】
１  ＣＰＵ
２  ＲＯＭ
３  ＲＡＭ
４  ＲＦブロック
５  チューナ
６  ＯＦＤＭ復調部
７  映像復号部
８  音声復号部
９  スイッチ部
１０  ＶＲＡＭ
１１  機構部
１２  表示ドライバ
１３  マイク
１４  スピーカ
１５  イヤホン
２０  収容部
２１  表示部
３０  ヒンジ部
４０  本体
【図１】
2011035914.tif 000003
【図２】
2011035914.tif 000004
【図３】
2011035914.tif 000005
【図４】
2011035914.tif 000006
【図５】
2011035914.tif 000007
【図６】
2011035914.tif 000008
【図７】
2011035914.tif 000009
【図８】
2011035914.tif 000010